(57)【要約】【課題】  一方のＸＭＬコンテンツ表示アドレスを他方に通知することにより、同時に表示すべきＸＭＬコンテンツ情報の同期をとることを可能にすること。【解決手段】  ＸＭＬサーバー１０１と、ＧＵＩ表示部６０を備えたＳＩＰ電話機Ａ２００と、ＧＵＩ表示部６０を備え、ＳＩＰ電話機Ａ２００に通信ネットワークを介して接続されるＳＩＰ電話機Ｂ２００を含む。ＳＩＰ端末同士の通話中、ＳＩＰ電話機Ａ２００からＸＭＬサーバー１０１に保存されたＸＭＬコンテンツのアドレス情報が記述されたイベント通知がＳＩＰ端末Ｂ２００に送信され、ＳＩＰ端末Ｂ２００は前記ＸＭＬコンテンツのアドレス情報を受けＸＭＬサーバー１０１から前記ＸＭＬコンテンツを取得して画面表示させる。【選択図】  図１
2008217587.tif 000002
【特許請求の範囲】
【請求項１】
ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末を含む双方向コンテンツ表示システムにおいて、
前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストが前記第２のＳＩＰ端末に送信され、前記第２のＳＩＰ端末は前記ＸＭＬコンテンツのアドレス情報を受け前記ＸＭＬサーバーから前記ＸＭＬコンテンツを取得して画面表示させることを特徴とする双方向コンテンツ表示システム。
【請求項２】
前記第１のＳＩＰ端末は、
前記第２のＳＩＰ端末の画面に表示させたいコンテンツアクセスを要求するコンテンツアクセスリクエストを前記ＸＭＬサーバーに送信し、
前記ＸＭＬサーバーに保存されたコンテンツ表示アドレスを取得し、
前記ＸＭＬサーバーへＨＴＴＰリクエストを送信し、
前記ＸＭＬサーバーからのレスポンスにて指定されたアドレスに対応したＸＭＬコンテンツ情報を取得し、
ＸＭＬコンテンツ情報を画面表示させ、
前記指定されたアドレス情報が記述されたNOTIFYリクエストを前記第２のＳＩＰ端末に送信し、
前記第２のＳＩＰ端末は、
受信した前記アドレス情報に対応するＸＭＬコンテンツにアクセスを要求するコンテンツアクセスリクエストを前記ＸＭＬサーバーに送信し、
前記ＸＭＬサーバーに保存されたコンテンツ表示アドレスを取得し、
前記ＸＭＬサーバーへＨＴＴＰリクエストを送信し、
前記ＸＭＬサーバーからのレスポンスにて指定されたアドレスに対応したＸＭＬコンテンツ情報を取得し、
前記ＸＭＬコンテンツ情報を画面表示させる
ことを特徴とする請求項１記載の双方向コンテンツ表示システム。
【請求項３】
前記第１および前記第２のＳＩＰ端末は、それぞれ第１および第２の電話機機能部、第１および第２のＳＩＰメッセージ送受信部、ＸＭＬサーバーにアクセスする為の第１および第２のＨＴＴＰメッセージ送受信部、並びに第１および第２のＸＭＬコンテンツ解析部を有し、
前記第１の電話機機能部は、前記第２のＳＩＰ端末の画面に表示させたいコンテンツアクセスを要求するコンテンツアクセスリクエストを送信し、
前記第１のＸＭＬコンテンツ表示部は、前記コンテンツアクセスリクエストを受け、前記ＸＭＬサーバーに保存されたコンテンツ表示アドレスを取得し、前記ＸＭＬサーバーへＨＴＴＰリクエストを前記第１のＨＴＴＰメッセージ送受信部を介して送信し、
前記第１のＨＴＴＰメッセージ送受信部は、前記ＸＭＬサーバーからのレスポンスにて指定されたアドレスに対応したＸＭＬコンテンツ情報を取得し、当該ＸＭＬコンテンツ情報の解析を要求する解析要求コマンドを前記第１のＸＭＬコンテンツ解析部に送出し、
前記第１のＸＭＬコンテンツ表示部は、前記解析されたＸＭＬコンテンツ情報を画面表示させると前記指定されたアドレス情報を前記第１の電話機機能部に送信し、
前記第１の電話機機能部は、前記指定されたアドレス情報を受け、対応するＸＭＬコンテンツ情報を画面表示させた後、前記指定されたアドレス情報を前記第１のＳＩＰメッセージ送受信部に送信し、
前記第１のＳＩＰメッセージ送受信部は、NOTIFYリクエストに前記指定されたアドレス情報を記述し、このNOTIFYリクエストを前記第２のＳＩＰ端末（第２のＳＩＰメッセージ送受信部）に送信し、
前記第２のＳＩＰ端末（前記第２のＳＩＰメッセージ送受信部）は、前記指定されたアドレス情報を受信し、当該指定されたアドレス情報を前記第２の電話機機能部に送信し、
当該第２の電話機機能部は前記指定されたアドレスに対応するＸＭＬコンテンツにアクセスを要求するコンテンツアクセスリクエストを送信し、
前記第２のＸＭＬコンテンツ表示部は、前記コンテンツアクセスリクエストを受け、前記ＸＭＬサーバーに保存されたコンテンツ表示アドレスを取得し、前記ＸＭＬサーバーへＨＴＴＰリクエストを前記第２のＨＴＴＰメッセージ送受信部を介して送信し、
前記第２のＨＴＴＰメッセージ送受信部は、前記ＸＭＬサーバーからのレスポンスにて指定されたアドレスに対応したＸＭＬコンテンツ情報を取得し、当該ＸＭＬコンテンツ情報の解析を要求する解析要求コマンドを前記第２のＸＭＬコンテンツ解析部に送出し、
前記第２のＸＭＬコンテンツ表示部は、前記解析されたＸＭＬコンテンツ情報を画面表示させると前記指定されたアドレス情報を前記第２の電話機機能部に送信し、
前記第２の電話機機能部は、前記指定されたアドレス情報を受け、対応するＸＭＬコンテンツ情報を画面表示させる
ことを特徴とする請求項１記載の双方向コンテンツ表示システム。
【請求項４】
ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末における双方向コンテンツ表示の制御処理ステップを有する双方向コンテンツ表示方法において、
前記双方向コンテンツ表示制御処理ステップは、
前記第１のＳＩＰ端末側にて、前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストを前記第２のＳＩＰ端末に送信するステップと、
前記第２のＳＩＰ端末側にて、前記ＸＭＬコンテンツのアドレス情報を受け前記ＸＭＬサーバーから前記ＸＭＬコンテンツを取得して画面表示させるステップ
を有することを特徴とする双方向コンテンツ表示方法。
【請求項５】
ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末における双方向コンテンツ表示の制御処理ステップを有する双方向コンテンツ表示方法において、
前記双方向コンテンツ表示制御処理ステップは、
前記第１のＳＩＰ端末側において、前記第２のＳＩＰ端末の画面に表示させたいコンテンツアクセスを要求するコンテンツアクセスリクエストを前記ＸＭＬサーバーに送信するステップと、
前記ＸＭＬサーバーに保存されたコンテンツ表示アドレスを取得するステップと、
前記ＸＭＬサーバーへＨＴＴＰリクエストを送信するステップと、
前記ＸＭＬサーバーからのレスポンスにて指定されたアドレスに対応したＸＭＬコンテンツ情報を取得するステップと、
ＸＭＬコンテンツ情報を画面表示させるステップと、
前記指定されたアドレス情報が記述されたNOTIFYリクエストを前記第２のＳＩＰ端末に送信するステップと、
前記第２のＳＩＰ端末側において、受信した前記アドレス情報に対応するＸＭＬコンテンツにアクセスを要求するコンテンツアクセスリクエストを前記ＸＭＬサーバーに送信するステップと、
前記ＸＭＬサーバーに保存されたコンテンツ表示アドレスを取得するステップと、
前記ＸＭＬサーバーへＨＴＴＰリクエストを送信するステップと、
前記ＸＭＬサーバーからのレスポンスにて指定されたアドレスに対応したＸＭＬコンテンツ情報を取得するステップと、
前記ＸＭＬコンテンツ情報を画面表示させるステップと、
を有することを特徴とする双方向コンテンツ表示方法。
【請求項６】
コンピュータに、ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末における双方向コンテンツ表示の制御を行わせるプログラムであって、
前記第１のＳＩＰ端末側にて、前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストを前記第２のＳＩＰ端末に送信するステップと、
前記第２のＳＩＰ端末側にて、前記ＸＭＬコンテンツのアドレス情報を受け前記ＸＭＬサーバーから前記ＸＭＬコンテンツを取得して画面表示させるステップ
を実行させることを特徴とするプログラム。
【発明の詳細な説明】
【技術分野】
【０００１】
本発明は、電話機同士の通話中において、自電話機がＸＭＬコンテンツ表示アプリケーションによって表示しているコンテンツアドレスを通知することにより、相手電話機のＸＭＬコンテンツ表示アプリケーションにも同じコンテンツを表示させ、同じ画面を見ながら通話する機能を実現できる双方向コンテンツ表示システム、方法、およびプログラムに関する。
【背景技術】
【０００２】
呼制御プロトコルＳＩＰが普及することにより、今や電話機機能はＰＣによってインターネットブラウザや電子メール、テレビ会議などと連携したより高度な機能として実現可能となっている。デスクトップ電話機としてもＰＣの長所を吸収すべく大画面カラーＬＣＤの採用やブラウザの実装などを試みているが、ＬＣＤサイズの限界や入力方法の制限からブラウザとして利便性が損なわれ、その機能を活用しきれていない。
【０００３】
またブラウザを動作させる為には高性能なＣＰＵが要求され、携帯電話ほどのシェアを持たないデスクトップ電話機では価格面で採用のメリットが薄れている。テレビ電話機能を持つデスクトップ電話機も実現されているが、画像データの描画速度はＰＣに劣る場合が多く、仮に匹敵するテレビ電話機を作った場合にはやはり非常に高価なものになってしまう。
【０００４】
なお、関連する先行技術として、以下の特許文献１には、サービス提供事業者がＷｅｂシステムとＳＩＰとを連携させた利便性の高い高度サービスを、容易かつ短期間で実現可能とするＷｅｂ連携ＳＩＰサービス制御システムが示されている。
【０００５】
【特許文献１】特開２００４−２４７９１６
【発明の開示】
【発明が解決しようとする課題】
【０００６】
技術の進歩やインフラの整備によって固定電話からＩＰ電話への移行が進み、電話設備を切り替えるメリットとしてコスト削減やアプリケーションとの連携など企業レベルでの効果が注目されている。デスクトップ電話機においても呼制御プロトコルＳＩＰの採用、ＬＣＤの大画面・フルカラー化、ブラウザ搭載などの拡張が行なわれているが、いずれも電話機としての範疇を超えることが出来ず、拡張によるユーザーへの明確なメリットが見えていない状況である。
【０００７】
そこで本発明は、一方のＸＭＬコンテンツ表示アドレスを他方に通知することにより、同時に表示すべきＸＭＬコンテンツ情報の同期をとることができる双方向コンテンツ表示システム、方法及びプログラムを提供することを目的とする。
【課題を解決するための手段】
【０００８】
本発明の第１の態様に係る双方向コンテンツ表示システムは、
ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末を含む双方向コンテンツ表示システムにおいて、
前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストが前記第２のＳＩＰ端末に送信され、前記第２のＳＩＰ端末は前記ＸＭＬコンテンツのアドレス情報を受け前記ＸＭＬサーバーから前記ＸＭＬコンテンツを取得して画面表示させることを特徴とする。
【０００９】
ここで、前記第１のＳＩＰ端末は、前記第２のＳＩＰ端末の画面に表示させたいコンテンツアクセスを要求するコンテンツアクセスリクエストを前記ＸＭＬサーバーに送信し、前記ＸＭＬサーバーに保存されたコンテンツ表示アドレスを取得し、前記ＸＭＬサーバーへＨＴＴＰリクエストを送信し、前記ＸＭＬサーバーからのレスポンスにて指定されたアドレスに対応したＸＭＬコンテンツ情報を取得し、ＸＭＬコンテンツ情報を画面表示させ、前記指定されたアドレス情報が記述されたNOTIFYリクエストを前記第２のＳＩＰ端末に送信し、
前記第２のＳＩＰ端末は、
受信した前記アドレス情報に対応するＸＭＬコンテンツにアクセスを要求するコンテンツアクセスリクエストを前記ＸＭＬサーバーに送信し、前記ＸＭＬサーバーに保存されたコンテンツ表示アドレスを取得し、前記ＸＭＬサーバーへＨＴＴＰリクエストを送信し、前記ＸＭＬサーバーからのレスポンスにて指定されたアドレスに対応したＸＭＬコンテンツ情報を取得し、前記ＸＭＬコンテンツ情報を画面表示させる。
【００１０】
本発明の第２の態様に係る双方向コンテンツ表示方法は、
ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末における双方向コンテンツ表示の制御処理ステップを有する双方向コンテンツ表示方法において、
前記双方向コンテンツ表示制御処理ステップは、前記第１のＳＩＰ端末側にて、前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストを前記第２のＳＩＰ端末に送信するステップと、前記第２のＳＩＰ端末側にて、前記ＸＭＬコンテンツのアドレス情報を受け前記ＸＭＬサーバーから前記ＸＭＬコンテンツを取得して画面表示させるステップを有することを特徴とする。
【００１１】
本発明の第３の態様に係る双方向コンテンツ表示プログラムは、
コンピュータに、ＸＭＬサーバーと、第１のＸＭＬコンテンツ表示部を備えた第１のＳＩＰ（Session Initiate Protocol）端末と、第２のＸＭＬコンテンツ表示部を備え、前記第１のＳＩＰ端末に通信ネットワークを介して接続された第２のＳＩＰ端末における双方向コンテンツ表示の制御を行わせるプログラムであって、
前記第１のＳＩＰ端末側にて、前記第１および前記第２のＳＩＰ端末同士の通話中、前記第１のＳＩＰ端末から前記ＸＭＬサーバーに保存されたＸＭＬコンテンツのアドレス情報が記述されたNOTIFYリクエストを前記第２のＳＩＰ端末に送信するステップと、前記第２のＳＩＰ端末側にて、前記ＸＭＬコンテンツのアドレス情報を受け前記ＸＭＬサーバーから前記ＸＭＬコンテンツを取得して画面表示させるステップを実行させることを特徴とする。
【発明の効果】
【００１２】
第１の効果は、通話中にＸＭＬコンテンツの情報を両者が参照できることにある。この結果、音声のコミュニケーションと同時に視覚的なコミュニケーションを行なうことができ、１回の通話に対する付加価値が高まり、コミュニケーションの質が向上する。その理由は、一方のＸＭＬコンテンツ表示アドレスを他方に通知することにより、同時に表示すべきＸＭＬコンテンツ情報の同期をとることができるからである。
【００１３】
第２の効果は、第１の効果によるＸＭＬコンテンツ表示アドレスの通知を使用することにより、交換機などの音声放送型のサービスに視覚情報を付加することができることにある。この結果、交換機に接続された全専用ＳＩＰ端末にページングやＢＧＭ、ニュースなどの音声情報を流すとともに、関連する画像情報を同時に表示・切り替えを行なうことで情報配信の質が向上する。その理由は、交換機などが全専用ＳＩＰ端末に音声を送信すると同時に、表示すべきＸＭＬコンテンツ情報を支持することができるからである。
【００１４】
第３の効果は、インターネットブラウザではなく、ＸＭＬコンテンツに記述した必要な情報のみを、高機能ＣＰＵを要求しない軽量なＸＭＬコンテンツ表示アプリケーションを用いて表示することで、第１、第２の効果を比較的安価なデスクトップ電話機で実現出来ることにある。この結果、ＰＣや高価な電話機を用いることなく、デスクトップ電話機で最低限必要な画像・文字情報をともなう音声コミュニケーションを提供する。その理由は、高性能なＣＰＵを使用しないことにより製造コストを抑制し、標準技術を利用した双方向コンテンツ表示方法により開発コストを抑制することができるからである。
【発明を実施するための最良の形態】
【００１５】
次に、本発明の一実施の形態について図面を参照して詳細に説明する。本発明の双方向コンテンツ表示方法を実装した専用の第１のＳＩＰ電話機（ＳＩＰ端末）及び専用の第２のＳＩＰ電話機（ＳＩＰ端末）と、前記第１のＳＩＰ端末及び前記第２のＳＩＰ端末とＩＰ網の中継の役割を果たすＳＩＰサーバー、そして画面に表示するコンテンツを格納したＸＭＬサーバーという基本構成を考える。前記第１のＳＩＰ電話機はＳＩＰサーバーを介して前記第２のＳＩＰ電話機との通話を開始する。通話中に前記第１のＳＩＰ電話機は前記第２のＳＩＰ電話機に見せたい画像情報がある場合、ＸＭＬコンテンツ表示アプリケーションを起動して画像情報コンテンツを表示する。この時、前記第２のＳＩＰ電話機Ｂには前記第１のＳＩＰ電話機で表示しているＸＭＬコンテンツの画面が同じように表示されている。前記第１のＳＩＰ電話機は通話しながら画像情報の説明を行ない、前記第２のＳＩＰ電話機に対して詳細な情報を伝えることができる。
【００１６】
次に、本発明の構成について図面を参照して詳細に説明する。図１を参照すると、本発明に係る双方向コンテンツ表示システムは、ＩＰ網に接続されたＳＩＰサーバー（ＳＩＰ Ｓｅｒｖｅｒ）１００と、ＸＭＬサーバー（ＸＭＬ Ｓｅｒｖｅｒ）１０１と、専用のＳＩＰ電話機Ａ（以下、ＳＩＰ端末Ａと称す）２００と、専用のＳＩＰ電話機Ｂ（以下、ＳＩＰ端末Ｂと称す）２０１とから構成されている。ＳＩＰ端末Ａ２００およびＳＩＰ端末Ｂ２０１は図２に示すように、呼制御の為に使用する電話機機能アプリケーション１０と、ＳＩＰメッセージ送受信部３０と、ＸＭＬコンテンツを表示する為に使用するＸＭＬコンテンツ表示アプリケーション２０と、ＸＭＬサーバー１０１にアクセスする為のＨＴＴＰメッセージ送受信部４０と、ＸＭＬコンテンツ解析部５０を含む。
【００１７】
以下、これらの動作について説明する。電話機機能アプリケーション１０は、ユーザーの電話機操作による操作情報の表示をＧＵＩ表示部６０に要求し、発信操作による呼制御をＳＩＰメッセージ送受信部３０にメッセージの送信を要求し、受信したメッセージの情報を受け取る。またユーザーの電話機操作によってＸＭＬコンテンツ表示アプリケーション２０へコンテンツアクセス要求コマンドおよびコンテンツ表示要求コマンドが送信される。
【００１８】
ＸＭＬコンテンツ表示アプリケーション２０は電話機機能アプリケーション１０からの要求により、設定データ管理部７０に保存されたＸＭＬサーバー１０１のデフォルトアドレスを取得し、ＨＴＴＰメッセージ送受信部４０にＸＭＬサーバー１０１へのリクエスト送信を要求する。
【００１９】
ＨＴＴＰメッセージ送受信部４０はＸＭＬサーバーからのレスポンスによって指定されたアドレスのＸＭＬコンテンツ情報を受信すると、ＸＭＬコンテンツ解析部５０に当該ＸＭＬコンテンツ情報を送信し、そのＸＭＬコンテンツ情報の解析を要求する。ＸＭＬコンテンツ表示アプリケーション２０はＸＭＬコンテンツ解析部５０が解析したＸＭＬコンテンツ情報を受信し、当該ＸＭＬコンテンツ情報をＧＵＩ表示部６０（大画面ＬＣＤ）に表示させるようＸＭＬコンテンツ情報表示コマンドをＧＵＩ表示部６０に送信する。当該表示要求を受信したＧＵＩ表示部６０は前記ＸＭＬコンテンツ情報を表示する。
【００２０】
以下、図２、図３を参照して本発明に係る双方向コンテンツ表示システムの動作について詳細に説明する。まずユーザーがＳＩＰ端末Ａ２００からＳＩＰ端末Ｂ２０１へ電話をかけ通話を行なう。この操作（オペレーション）は電話機機能アプリケーション１０とＳＩＰメッセージ送受信部３０によって実行される。図３のステップＳ１に示すように、標準のＳＩＰシーケンスで通話パスを確立する。
【００２１】
通話パス確立後、ＳＩＰ端末Ａ２００の電話機機能アプリケーション１０は、図３のステップＳ２に示すようにＳＩＰメッセージ送受信部３０へSUBSCRIBEリクエスト送信を要求する。ＳＩＰメッセージ送受信部３０は２００レスポンス受信後、ＳＩＰ端末Ｂ２０１から送信されるNOTIFYリクエストの待ち状態となる。ＳＩＰ端末Ｂ２０１はSUBSCRIBEリクエストを受信した後、同様に専用ＳＩＰ端末Ａ２００に対してSUBSCRIBEリクエストを送信してNOTIFYリクエストの受信待ちとなる。通話中の状態においてＳＩＰ端末Ａ２００のユーザーがＸＭＬサーバー１０１に保存された画像情報を見せながら相手に説明する必要がある場合、電話機操作によりＸＭＬコンテンツ表示アプリケーション２０を起動する。
【００２２】
図３のステップＳ３に示すようにＸＭＬコンテンツ表示アプリケーション２０は、まず設定データ管理部７０に保存されたＸＭＬサーバー１０１のデフォルトコンテンツアドレスへのアクセス要求をＨＴＴＰメッセージ送受信部４０に送信し、ＸＭＬコンテンツ解析部５０によりＸＭＬサーバー１０１を介して受信されたレスポンス解析結果データをＧＵＩ表示部６０に表示する。
【００２３】
ＸＭＬコンテンツ表示アプリケーション２０は、電話機機能アプリケーション１０に対しては前記アクセスしたＸＭＬコンテンツアドレス情報を送信する。ＳＩＰ端末Ａ２００の電話機機能アプリケーション１０は、前記アドレスに対応したコンテンツ情報（画像情報）を画面表示させた後、現在アクセス中のＸＭＬコンテンツアドレス情報をＳＩＰメッセージ送受信部３０に送信する。
【００２４】
このＳＩＰメッセージ送受信部３０は、NOTIFYリクエストに前記アクセス中のＸＭＬコンテンツアドレス情報を記述し、このアドレス情報を含んだNOTIFYリクエストをＳＩＰ端末Ｂ２０１に送信する。
【００２５】
ＳＩＰ端末Ｂ２０１のＳＩＰメッセージ送受信部３０は、前記アドレス情報を受信し、当該アドレス情報を電話機機能アプリケーション１０に送信する。電話機機能アプリケーション１０は受信したアドレス情報のＸＭＬコンテンツにアクセスするようにＸＭＬコンテンツ表示アプリケーション２０に指示する。ＸＭＬコンテンツ表示アプリケーション２０は受け取ったアドレスへのアクセスをＨＴＴＰメッセージ送受信部４０に要求し、ＸＭＬコンテンツ解析部５０によるＸＭＬサーバー１０１から受信したレスポンス解析結果をＧＵＩ表示部６０に表示する。これによりＳＩＰ端末Ａ２００とＳＩＰ端末Ｂ２０１の間で通話をしながら同じ画像情報を確認することができる。
【００２６】
図３のステップＳ４に示すように、逆にＳＩＰ端末Ｂ２０１が表示されている画面を切り替えた場合、同様の手順によりＳＩＰ端末Ａ２００に対してＳＩＰ端末Ｂ２０１が切替えた後の画面と同じ画面を表示させることができる。
【００２７】
また、上記した各実施の形態は、本発明を好適に実施した形態の一例に過ぎず、本発明は、その主旨を逸脱しない限り、種々変形して実施することが可能なものである。
【産業上の利用可能性】
【００２８】
本発明はＸＭＬコンテンツ表示アプリケーションを実装する大画面ＬＣＤ付きＳＩＰ電話機間の通話において、例えばホテルのような客室からの要求に対して、フロントからホテルサービス用のＸＭＬコンテンツを表示して画像と共にサービスの案内を行なったり、客室の専用ＳＩＰ端末に対してＢＧＭや音声案内を流しつつ、ホテルサービスのコンテンツを順次表示していくといった用途に適用できる。
【図面の簡単な説明】
【００２９】
【図１】本発明に係る双方向コンテンツ表示システムの全体構成を示す図である。
【図２】本発明に係る双方向コンテンツ表示システムのＳＩＰ電話機の構成を示す図である。
【図３】本発明に係る双方向コンテンツ表示方法における各処理の流れを示す図である。
【符号の説明】
【００３０】
１０    電話機機能アプリケーション
２０    ＸＭＬコンテンツ表示アプリケーション
３０    ＳＩＰメッセージ送受信部
４０    ＨＴＴＰメッセージ送受信部
５０    ＸＭＬコンテンツ解析部
６０    ＧＵＩ表示部
７０    設定データ管理部
１００    ＳＩＰサーバー
１０１    ＸＭＬサーバー
２００    ＳＩＰ電話機Ａ，ＳＩＰ電話機Ｂ
【図１】
2008217587.tif 000003
【図２】
2008217587.tif 000004
【図３】
2008217587.tif 000005